(57)【特許請求の範囲】
【請求項１】
周壁１上端部から肩部２を介して口頸部３を起立し、その周壁１上部の前後両部に上端面開口で幅広の浅溝４を、かつ該浅溝の左右方向中間に上端面開口の深溝５を、それぞれ縦設し、かつ口頸部３の下端部外面に第１係合突条６を周設した容器体Ａと、
上記口頸部３の下部外面へ短筒部７を、該短筒部の下部内面に周設した第２係合突条８を上記第１係合突条６下面へ係合させて、嵌合させると共に、短筒部７上端から外向きフランジ９を介して垂設した縦筒部１０下端から下外方へ拡開するテーパ状筒１１を突出して、該筒の外端部下面を容器本体の肩部２外周上面へ載置し、更にテーパ状筒１１外周部の前後両部から、上記浅溝４内へ緊密に嵌着させて係合板１２を垂下し、上記深溝５左右両側の前後に位置する前後両係合板１２部分の下部から上方の短筒部７部分まで左右一対の割溝１３を穿設し、これら一対の割溝間の短筒部７部分および外向きフランジ９部分を切除し、又両割溝１３間の縦筒部１０部分外面に第１鋸状歯１５を横設した操作筒Ｂと、
上記容器体口頸部３外面へ着脱自在に内周壁１６を螺合させると共に、該内周壁を囲成して垂下する外周壁１７下端部を、上記縦筒部１０外面へ嵌合させたキャップＣとからなり、
上記外周壁１７の内面に、上記第１鋸状歯１５とキャップ螺脱時に噛合う第２鋸状歯１８を周設し、
上記両割溝１３間の操作筒Ｂ部分を弾性板１４として、これら弾性板内方押圧で弾性板１４の上下方向中間部が深溝５内へ入り、かつ第１鋸状歯１５が第２鋸状歯１８から内方へ離脱可能に形成した、
ことを特徴とするキャップ付き容器。
【請求項２】
上記口頸部３の上部内面へ筒下部を嵌合させると共に、筒下部外面から突設した外向き係合フランジ２４を口頸部３上面へ係合させた注出筒２３の上部内面を小内径にして下向き段部２５を形成し、該下向き段部下面に板上面を係合させた係合板２７の上面中央部から直立柱２６を起立して、該直立柱上端部を注出筒２３上面から突出させ、かつ、直立柱２６外面に複数の長溝２８を縦設すると共に、該長溝間の隔壁外面を注出筒２３上部内面へ摺動自在に係合させ、更に上記係合板２７下面外周部から螺旋バネ２９を突設して、該螺旋バネ下端を注出筒２３下端部内面へ嵌合させて係合板２７を上方付勢し、更に上記キャップＣは上記内周壁１６上端から起立する起立筒１９と、該起立筒上面を閉塞する頂壁２０と、起立筒１９下部内面から垂下して上記外向き係合フランジ２４上面へ水密に当接する第１垂下壁２１と、頂壁２０下面から垂下して上記注出筒２３上部外面へ離脱可能に嵌合する第２垂下壁２２とを有する、
ことを特徴とする請求項１記載のキャップ付き容器。
【発明の詳細な説明】
【０００１】
【発明の属する技術分野】
本発明はキャップを容器体口頸部へ螺合させて口頸部上面を閉塞させるキャップ付き容器に関する。
【０００２】
【従来の技術】
周壁上端部から肩部を介して口頸部を起立し、該口頸部外面へキャップを螺合させることにより口頸部上面を閉塞させるキャップ付き容器は周知である。
【０００３】
【発明が解決しようとする課題】
上記のような容器では、キャップを回して口頸部から取り外すだけで開栓可能であり、従って、子供でも容易に開栓することができ、このため容器体内の液体等をこぼす等して家具等に付着させるおそれがあった。
【０００４】
請求項１及び２記載のキャップ付き容器は、容器体周壁に内方へ変形自在な弾性板を設けて、該弾性板外面に第１鋸状歯を形成すると共に、キャップ内面に、第１鋸状歯とキャップ螺脱時に噛合う第２鋸状歯を周設し、弾性板の内方押圧で第１鋸状歯を第２鋸状歯から内方へ離脱可能にすることにより、弾性板を押圧操作しない限りキャップが開方向へ回らないようにして本来の使用目的以外の開栓を極力防止しようとするものである。
【０００５】
【課題を解決するための手段】
第１の手段として、周壁１上端部から肩部２を介して口頸部３を起立し、その周壁１上部の前後両部に上端面開口で幅広の浅溝４を、かつ該浅溝の左右方向中間に上端面開口の深溝５を、それぞれ縦設し、かつ口頸部３の下端部外面に第１係合突条６を周設した容器体Ａと、
上記口頸部３の下部外面へ短筒部７を、該短筒部の下部内面に周設した第２係合突条８を上記第１係合突条６下面へ係合させて、嵌合させると共に、短筒部７上端から外向きフランジ９を介して垂設した縦筒部１０下端から下外方へ拡開するテーパ状筒１１を突出して、該筒の外端部下面を容器本体の肩部２外周上面へ載置し、更にテーパ状筒１１外周部の前後両部から、上記浅溝４内へ緊密に嵌着させて係合板１２を垂下し、上記深溝５左右両側の前後に位置する前後両係合板１２部分の下部から上方の短筒部７部分まで左右一対の割溝１３を穿設し、これら一対の割溝間の短筒部７部分および外向きフランジ９部分を切除し、又両割溝１３間の縦筒部１０部分外面に第１鋸状歯１５を横設した操作筒Ｂと、
上記容器体口頸部３外面へ着脱自在に内周壁１６を螺合させると共に、該内周壁を囲成して垂下する外周壁１７下端部を、上記縦筒部１０外面へ嵌合させたキャップＣとからなり、
上記外周壁１７の内面に、上記第１鋸状歯１５とキャップ螺脱時に噛合う第２鋸状歯１８を周設し、
上記両割溝１３間の操作筒Ｂ部分を弾性板１４として、これら弾性板内方押圧で弾性板１４の上下方向中間部が深溝５内へ入り、かつ第１鋸状歯１５が第２鋸状歯１８から内方へ離脱可能に形成した。
【０００６】
第２の手段として、上記第１の手段を有すると共に、上記口頸部３の上部内面へ筒下部を嵌合させると共に、筒下部外面から突設した外向き係合フランジ２４を口頸部３上面へ係合させた注出筒２３の上部内面を小内径にして下向き段部２５を形成し、該下向き段部下面に板上面を係合させた係合板２７の上面中央部から直立柱２６を起立して、該直立柱上端部を注出筒２３上面から突出させ、かつ、直立柱２６外面に複数の長溝２８を縦設すると共に、該長溝間の隔壁外面を注出筒２３上部内面へ摺動自在に係合させ、更に上記係合板２７下面外周部から螺旋バネ２９を突設して、該螺旋バネ下端を注出筒２３下端部内面へ嵌合させて係合板２７を上方付勢し、更に上記キャップＣは上記内周壁１６上端から起立する起立筒１９と、該起立筒上面を閉塞する頂壁２０と、起立筒１９下部内面から垂下して上記外向き係合フランジ２４上面へ水密に当接する第１垂下壁２１と、頂壁２０下面から垂下して上記注出筒２３上部外面へ離脱可能に嵌合する第２垂下壁２２とを有する。
【０００７】
【発明の実施の形態】
以下、本発明の実施形態を図面を参照しながら説明する。
Ａは容器体で、周壁１上端部から上部小径のテーパ状の肩部２を介して口頸部３を起立し、該口頸部外面に雄ねじを形成する。そして、肩部２外周より下方周壁１部分の前後両部に幅広の浅溝４を縦設して、該浅溝の上端面を肩部２外周に開口させる。また、浅溝４の左右方向中間に深溝５を縦設して、該深溝の上端面を肩部２外周に開口させる。さらに、口頸部３の下端部外面に第１係合突条６を周設する。
【０００８】
Ｂは操作筒で、口頸部３の下端部外面へ短筒部７を、該短筒部の下部内面に周設した第２係合突条８を第１係合突条６下面へ係合させて、嵌合させる。そして、短筒部７上端から外向きフランジ９を介して縦筒部１０を垂設し、該縦筒部下端から下外方へ拡開するテーパ状筒１１を突出して、該テーパ筒下面を肩部２外周上面へ載置させる。
【０００９】
さらに、テーパ状筒１１外周部の前後両部から、浅溝４内へ緊密に嵌着させて係合板１２を垂下する。そして、周壁前部の深溝５の左右両側の前方に位置する係合板１２部分と、周壁後部の深溝５の左右両側の後方に位置する係合板１２部分との、それぞれの下端部から上方の短筒部７部分まで左右一対の割溝１３を穿設し、これら一対の割溝間の短筒部７部分および外向きフランジ９部分を切除して、両割溝１３間の操作筒部分を弾性板１４として、該弾性板の縦筒部１０部分外面に第１鋸状歯１５を横設する。
【００１０】
Ｃはキャップで、内面に雌ねじを有する内周壁１６を容器体口頸部３外面へ着脱自在に螺合させると共に、該内周壁上端外面から外向きフランジ状連結壁を介して垂下する外周壁１７内面に、キャップ螺合時には第１鋸状歯１５に噛合うことなく、キャップ螺脱時に第１鋸状歯１５に噛合う第２鋸状歯１８を周設して、該第２鋸状歯を縦筒部１０外面へ嵌合させている。これら第１鋸状歯１５と第２鋸状歯１８とは、弾性板１４内方押圧で弾性板１４の上下方向中間部が深溝５内へ入ることにより第２鋸状歯１８から第１鋸状歯１５が内方へ離脱可能に形成する。
【００１１】
さらに、内周壁１６上端から起立筒１９を起立して、該起立筒上面を頂壁２０で閉塞する。そして、起立筒１９下部内面から垂下する第１垂下壁２１を後述の注出筒２３の外向き係合フランジ２４上面へ水密に当接させると共に、頂壁２０下面から垂下する第２垂下壁２２を注出筒２３上端部外面へ水密に、かつ、離脱可能に嵌合させる。
【００１２】
２３は注出筒で、口頸部３の上端部内面へ筒下部を嵌合させると共に、筒下部外面から突設した外向き係合フランジ２４を口頸部３上面へ載置させ、かつ、筒上端部内面を小内径にして下向き段部２５を形成する。
【００１３】
２６は直立柱で、下向き段部２５下面へ板上面を係合させた係合板２７の上面中央部から柱部を起立して、該柱部上端部を注出筒２３上面から突出させ、かつ、柱部外面に複数の長溝２８を縦設すると共に、該長溝間の隔壁外面を注出筒２３上部内面へ摺動自在に係合させる。さらに、係合板２７下面外周部から截頭円錐形状の螺旋バネ２９を突設して、該螺旋バネ下端を注出筒２３下端部内面へ嵌合させて係合板２７を上方付勢する。
【００１４】
次に本実施形態の作用について説明する。
図１に示すキャップＣの開栓状態から閉栓するには、キャップＣを口頸部３外面へ嵌合させて時計方向へ螺合させればよく、するとキャップＣは螺合により下降して第２鋸状歯１８が縦筒部１０外面へ嵌合する。この状態を示すのが図２及び図３である。
【００１５】
同図に示す閉栓状態から開栓すべくキャップＣを螺脱方向へ回そうとすると第２鋸状歯１８が第１鋸状歯１５に噛合うため開栓は不可能である。
キャップＣを開栓するためには弾性板１４を内方へ押圧すればよく、すると第２鋸状歯１８から第１鋸状歯１５が離脱するため、キャップＣを螺脱方向へ回すことが可能になる。
なお、キャップＣは螺合方向への回動により上昇するため、開栓途中での弾性板１４の押圧の解除により弾性板１４がその弾性力で元の位置に戻っても第１鋸状歯１５が第２鋸状歯１８に噛合うことがない。
【００１６】
【発明の効果】
請求項１及び２記載のキャップ付き容器は、周壁に、内方へ弾性変形自在な弾性板を設けて、該弾性板外面に第１鋸状歯を形成すると共に、キャップ内面に、第１鋸状歯とキャップ螺脱時に噛合う第２鋸状歯を周設したので、キャップを閉栓方向へ回して螺脱させようとしても弾性板を内方へ押圧しない限り不可能であり、従って、子供の悪戯による汚損等の発生を未然に防止することができる。
【図面の簡単な説明】
【図１】本発明に係るキャップ付き容器の開栓状態を示す斜視図。
【図２】同じく、図１のＸ−Ｘ線に沿う断面図。
【図３】同じく、図１のＹ−Ｙ線に沿う断面図。
【図４】同じく、図１のＺ−Ｚ線に沿う断面図。
【符号の説明】
１  周壁
２  肩部
３  口頸部
４  浅溝
５  深溝
６  第１係合突条
７  短筒部
８  第２係合突条
９  外向きフランジ
１０  縦筒部
１１  テーパ状筒
１２  係合板
１３  割溝
１４  弾性板
１５  第１鋸状歯
１６  内周壁
１７  外周壁
１８  第２鋸状歯
１９  起立筒
２０  頂壁
２１  第１垂下壁
２２  第２垂下壁
２３  注出筒
２４  外向き係合フランジ
２５  下向き段部
２６  直立筒
２７  係合板
２８  長溝
２９  螺旋バネ
Ａ  容器体
Ｂ  操作筒
Ｃ  キャップ
【図１】
0003741854.tif 000002
【図２】
0003741854.tif 000003
【図３】
0003741854.tif 000004
【図４】
0003741854.tif 000005